【事件の表示】
　特許第２７９７９７５号「パチンコ機」の特許に対する特許異議の申立てについて、次のとおり決定する。
【結　論】
　特許第２７９７９７５号の特許を維持する。
【理　由】
１．手続の経緯・本件発明
　特許第２７９７９７５号に係る発明についての出願は、昭和６１年２月８日に出願した特願平６−１９３５０９号の一部を平成６年７月２５日に分割出願して新たな特許出願とし、平成１０年７月３日にその発明について特許の設定登録がなされたものであって、本件特許第２７９７９７５号に係る発明は、特許請求の範囲の第１項に記載された事項により特定される以下のとおりのものと認める。
「１．特定入賞口に於ける玉の入賞を検出する入賞検出装置を設け、該特定入賞口への入賞に応じて乱数を発生させ、ゲ−ムを制御すると共に、発光装置、発音装置等の周辺装置を駆動する制御装置とからなる乱数を利用したパチンコ機において、前記制御装置は、前記ゲ−ムを制御し、その制御のための制御プログラムを記憶した内蔵ＲＯＭを有した第１のマイクロプロセッサと、その第１のマイクロプロセッサからの指令又はデ−タを入力して、前記周辺装置を駆動し、その駆動のための制御プログラムを記憶した内蔵ＲＯＭを有した第２のマイクロプロセッサとを有することを特徴とするパチンコ機。」
２．異議申立ての理由の概要
　異議申立人河井清悦は、証拠として甲第１号証（特開昭６０−２９１６８号公報）、甲第２号証（ＵＳＰ４３６３４８５号公報）、甲第３号証（特開昭５４−１０８７３３号公報）、甲第４号証（特開昭５５−１２２５７５号公報）、甲第５号証（特開昭５７−２０９５５７号公報）、甲第６号証（特開昭５７−１３２２６０号公報）、甲第７号証（特開昭５２−９０２３２号公報）、甲第８号証（特開昭５４−５０３２９号公報）、甲第９号証（特開昭５７−１９６９９０号公報）、甲第１０号証（ＵＳＰ４５１７６５４号公報）、甲第１１号証（特開昭５８−３０３４８３号公報）、甲第１２号証（特開昭５９−１１９２７５号公報）、甲第１３号証（特開昭５９−１３６７８７号公報）、甲第１４号証（１５６頁〜１６４頁：日経エレクトロニクス１９８１　３−３０号、発行日：昭和５６年３月３０日、発行所：日経マグロウヒル社）、甲第１５号証（特開昭５９−２００６７４号公報）、甲第１６号証（特開昭６０−３１７８３号公報）、甲第１７号証（特開昭６０−１２５８８７号公報）、甲第１８号証（１０７頁：電気電子用語事典、発行日：昭和６０年２月２５日、発行所：（株）オ−ム社）および甲第１９号証（特許第２６３９３８２号公報）を提出して、本件特許発明は、甲第１号証と甲第２号証に記載された発明に基づき、または、甲第１号証と甲第３号証乃至甲１７号証に記載された発明に基づいて、当業者が容易に発明をすることができたものであるから、特許法第２９条第２項の規定に該当し、特許を受けることができないものであり、特許法第１１３条第１項第２号の規定により取り消すべき旨主張している。
　また、本件発明の請求項に記載された「発光装置、発音装置等の周辺装置」の記載は不明確であると主張している。
３．甲各号証記載の事項
　これに対し、甲第１号証には、「チャッカ−（４ａ〜４ｃ）に入ったパチンコ球を検出するチャッカ−入賞スイッチ（１２）と、・・・前記チャッカ−入賞スイッチ（１２）からの検出信号に基づいて前記表示器（３ａ〜３ｄ）に予め定められた順序で異なる複数の表示態様を表示させる表示制御手段（１４）と、・・・その時々にデ−タ内容が変わるデ−タ作成手段（１４）と、前記押しボタンスイッチ（７）からのオン信号に応答して前記デ−タ作成手段（１４）のその時のランダムなデ−タを読み出し、このランダムなデ−タに基づいて前記表示器（３ａ〜３ｄ）の表示停止時間を算出し、その表示停止時間に達した時、そのを表示器（３ａ〜３ｄ）の表示を止める表示停止手段（１４）と、」（公報第１頁左下欄５行〜同頁右下欄５行）と記載され、「次に、前記ＬＥＤ３ａ〜３ｄ、中央ポケット５の開閉扉５ａ、及び入賞ランプ６等を駆動制御する制御装置を第２図に従って説明する。」（公報第２頁右上欄５行〜同欄７行）と記載されている。
　同じく、甲第２号証には、「コンピュータシステム１２０は、ロックウエル社製モデルＲ６５０２のＣＰＵ１２８を有している。ＣＰＵ１２８のバスは第１のメモリチップ１３０と、第２のメモリチップ１３２に接続されている。第１のメモリチップ１３０はリ−ドオンメモリ（ＲＯＭ）であり、ロックウエル社製モデルＲ２３３２が使用されている。第２のメモリチップ１３２は、プログラムが消去可能な読取専用メモリであり、日立製モデル２７１６が使用されてている。・・・第３のメモリチップ１３４はランダムアクセスメモリ（ＲＡＭ）であり、インテル社製５１０１モデルが使用される。」（明細書第５欄２２行〜第６欄６行）と記載されている。
　甲第３号証には、「ワンチップマイクロコンピュータ９にはあらかじめ打止め球数、排出駆動装置２０による賞球タンク１０への１回の補給するなどが記憶されており、第５素子１９からの信号を受けると記憶された補給数だけの球を排出駆動装置２０の作動によって賞球タンク１０に供給する。またワンチップマイクロコンピュータ９は、パチンコ遊技店が利益となる球数（遊技球又はアウト球で、操作レバー２の操作回数又は遊技球の供給数や第３素子１５で検出する）と損失となる球数（セーフ球、賞球、補給球などで、第１素子８、第２素子１３、第４素子１８など検出する）とを演算し、その演算値が打止め数として設定された個有値（例えば２，０００個）に達すると補給球排出駆動装置２０への補給指示信号の発信を止めて遊技を停止させるとともにパチンコ機表面に打止め表示２２を行うのである。」（公報第３頁左下欄２０行〜同頁右上欄１７行）と記載され、「上記した電子計算機２１は各ワンチップマイクロコンピュータへの打止め数、補給数の変更ばかりでなく、打止め解除指令を伝送したり、各ワンチップマイクロコンピュータからの信号が伝送されて総合管理をすることができる。」（公報第３頁右下欄２０行〜第４頁左上欄４行）と記載されている。
　甲第４号証には、「以上のように各個別管理用電子計算機９は対応するパチンコ機を個別に制御すると共に、そのパチンコ機から遊技データを受入れ記憶演算し、一方総合管理用電子計算機２１は各個別管理用電子計算機９を制御するｋとにより各パチンコ機の動作条件の設定や遊技データの集中管理を行う。」（公報第４頁左下欄６行〜同欄１２行）と記載されている。
  甲第５号証には、「数字表示器と、演算モード・ゲームモードの切替スイッチと、・・・ゲームモードに指定した時、自動的に、表示器のランダムの２カ所に乱数を２組表示しさせる手段と、・・・・ことを特徴とする電子式卓上計算機。」（公報第１頁左下欄５行〜同欄１３行）と記載されている。
　甲第６号証には、「マイクロコンピュータ（ＭＰＵ）の応用が普及し、広く家電からがん具に至るまで利用される様になった。価格の低下に伴なって１つの応用製品で数ケのＭＰＵを分散して使用し、機能の向上を目指す製品が増加している。ＭＰＵを複数ケ使用する、マルチマイクロコンピュータシステムは従来より広く提案されている。」（公報第１頁右下欄１７行〜第２頁左上欄３行）と記載されている。
　甲第７号証には、「まず第１図を参照する。この図にはプログラムされた上位コンピュータ１０と、このコンピュータ１０に組合わされるグラフィックス入力装置１２と、入力用キーボード１４と、本発明の−実施例に従って作られた表示制御装置１６とを含むコンピュータグラフィックス装置が示されている。ホストコンピュータ１０と、それに組合わされる入力機器は、入力制御信号と、１台またはそれ以上の表示制御装置１６を駆動するために入力制御信号に対応する開発信号とに応答できるものであればどのような周知の機器でも使用できる。・・・ホストコンピュータ１０から受ける情報は表示すべき全てのグラフィックスに対して一般に用いられている固定様式である。・・・更に、ＭＣＵ２２はＶＣＵ２６へ命令も送って、ＶＣＵ２６にＲＭＥＭ２８からの清報読出しと、その情報のＣＲＴ１８への送り出しとの開始を行わせる。ＶＣＵ２６はビデオスコープの書込みが終りになったことを示し、かつより多くの情報を要求するために、ＭＣＵ２２へ割込み信号を送る機能も有する。」（公報第１０頁左下欄１行〜第１１頁左上欄６行）と記載されている。
　甲第８号証には、「複写機からの各種のデータをアナログ信号として検出するセンサと、前記複写機を制御する第１のマイクロコンピュータと、前記各センサから検出されたフフナログ信号を人力し、前記第１のマイクロコンピュータから送られるタイミング信号によって入力信号のうちの１つを順次切換えて出力するモジューラマルチフレクサと、・・・前記第１のマイクロコンピュータによってフェツチされる前記Ａ−Ｄ変換器によってデジタル信号に変換されたデータを格納するメモリと、このメモリに格納されたデータをアクセスして演算処理・判定を行なう第２のマイクロコンピュータとからなり、前記第１のマイクロコンビュー夕がデータをフェッチして前記メモリに格納する際、前記第２のマイクロコンピュータに割込みをかけてアクセスするよう指示し、前記第２のマイクロコンピュータが演算処理・判定の結果によって複写機に対してなすべき処理を前記第１のマイクロコンピュータに割込みによって指示するようにした複数のマイクロコンピュータによる複写機の制御システム。」（特許請求の範囲）と記載されている。
　甲第９号証には、「広くいえば、本発明は、マイクロプロセッサと、このマイクロプロセッサにより操作されてベクトル表示器すなわちテレビジョンＣＲＴ表示器を駆動するために用いられる信号を発生する表示回路と、マイクロプロセッサからデータを受けて、映像物の変化できる透視図的映像を表示するために求められる各種の変換に必要なパラメータを迅速に計算するように構成され、マイクロプロセッサによリアドレスできる計算装置とを含む。この計算装置により実行される算術演算はマイクロプロセッサとは独立しているから、マイクロプロセッサはゲームの他の制御機能を自由に行なうことができる。」（公報第４頁右下欄４行〜同欄１６行）と記載されている。
　甲第１０号証には、「ビデオプロセッサは、ゲームプロセッサへのアドレスラインを有し、データバスを介してゲームプロセッサに接続されている。ゲームプロセッサ（不図示）からのデータは、データバスを会してゲームプロセッサに入力される。さらに、デオプロセッサは、ゲームプロセッサから中断信号を受け取り、これにより、ビデオプロセッサはデータプロセスサイクルの途中で、ゲームプロセッサへコマンドを送信する。」（明細書第４欄５９行〜第５欄３行）と記載されている。
　甲第１１号証には、「２チャンネルの入力信号の各チャンネルの信号をそれぞれ帯域分割する手段と、前記した帯域分割手段からの出力信号をデジタル信号に変換するアナログ・デジタル変換手段と、前記した各チャンネルの信号における互いに対応する帯城の信号についてのアナログ・デジタル変換手段からの出力信号を比較演算し、その結果を位置情報に変換して出力する中央制御装置と、・・・前記した中央制御装置からの出力データを前記したビデオ・ディスプレイ・プロセッサを介して前記したメモリにおける第２のメモリ領域に書込むことにより、ビデオ・ディスプレイ・プロセッサから前記した２チャンネルの入力信号のスベトルのレベルの相違に応じて、ディスプレイの表示面のパターンが横軸方向に移動される状態で表示されるようにしたオーディオ信号の信号レベル表示装置。」（特許請求の範囲）と記載されている。
　甲第１２号証には、「本発明は、オーディオ信号をデジタル信号に変換し、そのデジタル信号をＦＦＴ演算してからパワースペクトル演算を行ない、また、その結果として得られたスペクトルのレベルに応じたパターン情報を得て、所定のスペクトルのレベルをディスプレイの表示面に順次に配列して表示するようにしたオーディオ信号のスペクトル表示装置において、アナログ・デジタル変換とＦＦＴ演算などの信号処理とを並列処理させるようにして、スペクトル分析時間の短縮を実現し、実時間でスペクトル表示の可能なオーディオ信号のスペクトル表示装置を容易に提供できるようにしたものである。」（公報第２頁右下欄９行〜同欄２０行）と記載されている。
　甲第１３号証には、「ビデオ・ディスプレイ・プロセッサＶＤＰは、それにデータバス４を介して接続されているビデオ・ラムＶ・ＲＡＭと中央制御装置ＣＰＵとの間でインターフェースとして動作すると共に、前記したビデオ・ラムＶ・ＲＡＭに記憶されている各種のデータによって画像内容が定められ、かつ、予め定められた標準方式に従う複合映像信号を発生することができるようなものとして構成されているものであって、このビデオ・ディスプレイ・プロセッサＶＤＰとしては、例えば、日経マグロウヒル社の「日経エレクトロニクス」１９８１年３月３０日号（第１５６頁〜第１５４頁）に紹介されている米国テキサス・インスツルメント社のビデオ・ディスプレイ・プロセッサ（ＶＤＰ）を使用することができるのであり、以下の説明では前記したビデオ・ディスプレイ・プロセッサが使用されているとされている。」（公報第７頁左上欄１６行〜同貢右上欄１２行）と記載されている。
　甲第１４号証には、「ＴＭＳ９９１８Ａはビデオ・デイスプレイ・プロセッサ（ＶＤＰ）は、新しい世代を代表するインターフェース回路である。これによって低価格の１５色ディスプレイが可能になり、複雑な重ね合わせ図形を高解像度で表示できるようになる。
このＶＤＰは、現在テキサス・インスツルメンツ（Ｔｌ）社の最も複雑なＬＳＩチップの一つであり、教育資料のデータ処理と表示用および家庭娯楽用に設計されたものである。メモリー・マップ方式のインターフェースは、大多数のマイクロプロセサに合う。更に、ＶＤＰはディスプレイ・メモリーを自動的にリフレッシュし、普通のビデオ・モニタに直接インタフェースできるため、他の部品をほとんど付け加えずに、システムを構成できる。」（第１５７頁２行〜同頁第１２行）と記載されている。
　甲第１５号証には、パチンコ機に関するもので、「制御回路１４は中央処理装置（ＣＰＵ）であって、前記検出回路１３から検出信号ＳＧ１，ＳＧ２及びオン信号ＳＧ３、又クロック回路１５及びリセット回路１６からそれぞれクロック信号ＳＧ４及びリセット信号ＳＧ５を入力し、これら各信号ＳＧＩ〜ＳＧ５に応答して演算処理動作を行う。読出し専用メモリ（以下ＲＯＭという）１８は制御プログラムが記憶されている。読出し及び書替え可能なメモリ（以下ＲＡＭという）１９は各アドレスチビットで構成され、動作フログラムを記憶するプログラム記憶領域（０００番地〜７０Ｆ番地）と第８図に示すように各種データを記憶するデータ記憶領域（８ ０ ０番地〜８１Ｄ番地）とで構成されている。」（公報第２頁右下欄２行〜同欄１５行）と記載されている。
　甲第１６号証には、「電子回路を簡略化できＬＳＩをワンチップで構成できる電子盤ゲームを提供することを目的とする」（公報第１頁右下欄１９行〜第２頁左上欄１行）と記載され、「次に、上記ケース本体１内に設けられる電子回路の構成について第２図により説明する。同図において２１は上記キーボード３によって構成されるキー入力部で、そのキー入力は制御部２２へ送られる。この制御部２２には、上記表示部２、盤面部４への置石データを記憶する置石データ記憶部２３、挟まれた右に対する反転制御を行なう右反転制御部２４、反転される右の個数を検索する反転個数検索部２５、置石データ記憶部２３のどの位置に石が置けるかを検索する置石位置検索部２６、盤面状態がコンピュータにとってどの位有利かを評価する盤面評価部２７、ゲームの進行状態に応じてブザー２９を駆動する報音部２８が接続されている。」（公報第２頁右上欄１３行〜同頁左下欄６行）と記載されている。
　甲第１７号証には、「第１図は、この発明の好適な−実施例に係るデジタル計算システム１０を示す。通常、デジタル計算システム１０は、中央処理装置（以下ＣＰＵという）ｌ２、メモリ　サブンステム１４、入出力サブシステム１６及びビデオ　デイスプレイ　サブンステム１８から構成される。」（公報第４頁左上欄１１行〜同欄１６行）と記載されている。
　甲第１８号証には、「計算機（けいさんき）ｃｏｍｐｕｔｅｒ　データを受け入れ、あらかじめ定められた操作をデータに加え、その結果を提供しうる装置のこと。情報処理においては、ふつうプログラム内蔵形の電子計算機を意味する。データに対して代数および論理演算を行うだけでなく、内部に記憶されたプログラム自体にも働きかけ、これを変更することができる。ふつう、入・出力部、記憶装置、演算装置、およびこれらを全体として制御する制御装置を主要部分として構成されている。」（第１０７頁）と記載されている。
　なお、甲第１９号証（特許第２６３９３８２号公報）は、本件特許の分割出願である。
４．対比・判断
（１）本件発明（前者）と、甲第１号証に記載された発明（後者）とを対比すると、両者は、「特定入賞口に於ける玉の入賞を検出する入賞検出装置を設け、該特定入賞口への入賞に応じて乱数を発生させ、ゲ−ムを制御すると共に、発光装置、発音装置等の周辺装置を駆動する制御装置とからなる乱数を利用したパチンコ機」の構成において一致するが、前者は、「前記制御装置は、前記ゲ−ムを制御し、その制御のための制御プログラムを記憶した内蔵ＲＯＭを有した第１のマイクロプロセッサと、その第１のマイクロプロセッサからの指令又はデ−タを入力して、前記周辺装置を駆動し、その駆動のための制御プログラムを記憶した内蔵ＲＯＭを有した第２のマイクロプロセッサとを有する」構成（以下、「特定事項」という。）であるのに対し、後者は、そのような構成を備えていない点で相違する。　
  また、甲第２号証の記載事項からみて、第１のメモリチップ１３０であるＲＯＭがＣＰＵ１２８とは別のチップで構成されたものであり、ＲＯＭ−ＲＩＯＴ装置１４５及びＰＲＯＭ１４６が、第２のＣＰＵ１２８′とは別のチップで構成されものであり、第１のメモリチップ１３０であるＲＯＭおよびＲＯＭ−ＲＩＯＴ装置１４５及びＰＲＯＭ１４６が、マイクロプロセッサであるＣＰＵに対して外付けされたＲＯＭであることから、甲第２号証には、「内蔵ＲＯＭを有した第１のマイクロプロセッサおよび内蔵ＲＯＭを有した第２のマイクロプロセッサ」の構成に係る記載がなく、かつ、該構成を示唆する記載もないものと認められることから、甲第２号証に記載された発明には、前記相違点の構成が記載されていないものと認める。
　したがって、甲第１号証および甲第２号証に記載された発明の構成を寄せ集めても、本件発明の構成は当業者が容易に想到することができたものではないものと認める。
　そして、本件発明は、その特許請求の範囲に記載された構成により、ゲームプログラムの開発と、発音制御等のプログラムの開発を、それぞれの専門家の手で行うことができ、又、プログラムの開発制御プログラムの交換が不可能となり不正防止が図られるという明細書に記載されたとおりの特有の効果を有するものである。
　したがって、本件発明は、甲第１号証よび甲第２号証にそれぞれ記載された発明に基づいて当業者が容易に発明をすることができたものではないものと認める。
（２）甲第３号証、甲第４号証および甲第１５号証の記載事項からみて、これらの各証拠には、パチンコ機においてゲームの制御と周辺機器などの制御を行うワンチップマイクロコンピュータ９、個別管理用電子計算機９、制御回路１４が記載され、甲第５号証乃至甲第１４号証および甲第１６号証乃至甲第１８号証には、コンピュータに関連する技術が記載されているものと認められる。しかしながら、甲第１号証および甲第３証乃至甲第１８号証に記載された発明の構成を寄せ集めても、当業者は本件発明の構成を容易に想到することができないものと認める。
　したがって、本件発明は、甲第１号証と甲第３号証乃至甲１７号証に記載された発明に基づいて当業者が容易に発明をすることができたものではないものと認める。
　なお、本件発明の構成要件である「発光装置、発音装置等の周辺装置」は、本件特許明細書の記載（段落番号【０００７】の「発音装置、発光装置、その他の出力装置」）からみて不明りょうな記載ではなく、また、甲第１９号証は、本件発明の進歩性を判断する際の証拠として妥当なものと認められないので採用しない。
　よって、異議申立人の主張は採用することはできない。
５．むすび
　以上のとおりであるから、特許異議の申立て理由によっては本件発明についての特許を取り消すことはできない。
　したがって、本件発明についての特許は拒絶の査定をしなければならない特許出願に対してなされたものとは認めない。
　よって、特許法等の一部を改正する法律（平成６年法律第１１６条）附則第１４条の規定に基づく、特許法等の一部を改正する法律の一部の施行に伴う経過装置を定める政令（平成７年政令第２０５号）第４条第１項及び第２項の規定により、上記のとおり決定する。
【異議決定日】
平成１２年７月１８日（２０００．７．１８）